(57)【要約】【課題】スクリーンに形成される折り目の間隔をスクリーンの前側とスクリーンの後側とにおいて保ち、かつ、スクリーンに適用される材料の範囲を拡張する。【解決手段】スクリーン２に吊り下げられる第１ピッチ保持コードと、スクリーン２に吊り下げられる第２ピッチ保持コードと、第１ピッチ保持コードに設けられてスクリーンにおける前側との係合によりスクリーン２の前側でスクリーン２を支持する前側保持部と、第２ピッチ保持コードに設けられてスクリーン２における後側との係合によりスクリーンの後側でスクリーンを支持する後側保持部と、を備え、第１ピッチ保持コードと第２ピッチ保持コードとは、互いに独立であり、前側保持部と後側保持部とは、スクリーン２に形成された折り目９の延びる方向である横方向にて互いに異なる位置を支持する。【選択図】図１
2014111875.tif 000002
【特許請求の範囲】
【請求項１】
上下方向に沿ってジグザグ状に折り畳み可能な状態でヘッドボックスから吊り下げられるスクリーンと、
前記スクリーンに吊り下げられる第１ピッチ保持コードと、
前記スクリーンに吊り下げられる第２ピッチ保持コードと、
前記第１ピッチ保持コードに設けられて前記スクリーンにおける前側との係合により前記スクリーンの前側で前記スクリーンを支持する前側保持部と、
前記第２ピッチ保持コードに設けられて前記スクリーンにおける後側との係合により前記スクリーンの後側で前記スクリーンを支持する後側保持部と、を備え、
前記第１ピッチ保持コードと前記第２ピッチ保持コードとは、互いに独立であり、
前記前側保持部と前記後側保持部とは、前記スクリーンに形成された折り目の延びる方向である横方向にて互いに異なる位置を支持する
プリーツスクリーン。
【請求項２】
前記第１ピッチ保持コード、および、前記第２ピッチ保持コードの少なくとも１つが、並設対象コードであり、
前記スクリーンの前側と前記スクリーンの後側とのうち前記並設対象コードと同じ側に配置されて前記並設対象コードに並設される並設昇降コードを備える
請求項１に記載のプリーツスクリーン。
【請求項３】
前記前側保持部と前記後側保持部とのうち前記並設対象コードに設けられる保持部が、被挿通保持部であり、
前記並設昇降コードは、前記被挿通保持部に通される
請求項２に記載のプリーツスクリーン。
【請求項４】
前記第１ピッチ保持コード、および、前記第２ピッチ保持コードの少なくとも１つが、対向対象コードであり、
前記スクリーンの前側と前記スクリーンの後側とのうち前記対向対象コードとは異なる側に配置されて前記対向対象コードと対向する対向昇降コードを備える
請求項１に記載のプリーツスクリーン。
【請求項５】
前記前側保持部と前記後側保持部とのうち前記対向対象コードに設けられる保持部が、被挿通保持部であり、
前記被挿通保持部は、前記対向対象コードから前記対向昇降コードに向けて前記スクリーンを貫通し、前記被挿通保持部には、前記対向昇降コードが通される
請求項４に記載のプリーツスクリーン。
【請求項６】
前記第１ピッチ保持コード、および、前記第２ピッチ保持コードのいずれか１つが、並設対象コードであり、
前記第１ピッチ保持コードと前記第２ピッチ保持コードとのうち前記並設対象コードとは異なるコードが、対向対象コードであり、
前記スクリーンの前側と前記スクリーンの後側とのうち前記並設対象コードと同じ側に配置されて前記並設対象コードに並設される並設昇降コードと、
前記スクリーンの前側と前記スクリーンの後側とのうち前記対向対象コードとは異なる側に配置されて前記対向対象コードと対向する対向昇降コードとを備える
請求項１に記載のプリーツスクリーン。
【請求項７】
前記対向対象コードと前記対向昇降コードとの前後方向における間隔は、前記スクリーンの折り畳まれた状態での前記スクリーンの前後方向における幅よりも大きい
請求項４から６のいずれか１つに記載のプリーツスクリーン。
【請求項８】
前記スクリーンの前側と前記スクリーンの後側とのいずれか一方に、前記第１ピッチ保持コード、および、前記第２ピッチ保持コードは配置される
請求項６または７に記載のプリーツスクリーン。
【請求項９】
前記前側保持部、および、前記後側保持部の少なくとも一方は、前記スクリーンに係止される
請求項１または２に記載のプリーツスクリーン。
【請求項１０】
上下方向に沿って並ぶ複数の前記被挿通保持部を備え、
前記複数の被挿通保持部の各々は、上側位置と、前記上側位置から一定の間隔を隔てた下側位置とから導出される糸によって環状に形成され、
前記上側位置から導出される糸と、前記下側位置から導出される糸とは、前記昇降コードに対する左右に分けて導出され、
前記上側位置から導出される糸が前記昇降コードに向かう方向と、前記下側位置から導出される糸が前記昇降コードに向かう方向とは、前記複数の被挿通保持部にて上下方向に沿って交互に替わる
請求項３または５に記載のプリーツスクリーン。
【発明の詳細な説明】
【技術分野】
【０００１】
本開示は、ジグザグ状に折り曲げられるスクリーンがヘッドボックスから吊り下げられるプリーツスクリーンに関する。
【背景技術】
【０００２】
プリーツスクリーンでは、上下方向に沿ってジグザグ状に折り曲げられるスクリーンがヘッドボックスから吊り下げられ、操作装置によるスクリーンの昇降によって採光量が適宜に調節される。このようなプリーツスクリーンにて、ヘッドボックスから吊り下げられる昇降コードは、スクリーンにおける前後方向の略中央に挿通され、昇降コードの下端にはボトムレールが取り付けられている。そして、操作装置の操作によってヘッドボックス内の昇降コード巻取り装置が昇降コードを巻き取ると、ボトムレールが引き上げられて、スクリーンは上方へ畳み込まれる。また、昇降コード巻取り装置が昇降コードを送り出すと、ボトムレールが下降して、スクリーンは下方へ引き伸ばされる（例えば、特許文献１）。
【先行技術文献】
【特許文献】
【０００３】
【特許文献１】特開平１１−２１６０６２号公報
【発明の概要】
【発明が解決しようとする課題】
【０００４】
ところで、特許文献１に記載されるプリーツスクリーンにて、１つのスクリーンは、ジグザグ状に連結された複数の板材によって構成され、複数の板材の各々は、板材の前側における折り目の間隔と、板材の後側における折り目の間隔とをラダーコードの縦糸によって保っている。一方で、スクリーンがラダーコードの縦糸によって支持される構成では、複数の板材の各々の両端部に対して、左右方向に沿ってラダーコードの横糸が挟み込まれなければならない。そのため、プリーツ生地のように連続する面材をスクリーンとして用いることは不可能であり、スクリーンに適用される材料が大幅に制限されている。
【０００５】
本開示は、スクリーンに形成される折り目の間隔をスクリーンの前側とスクリーンの後側とにおいて保ち、かつ、スクリーンに適用される材料の範囲を拡張することの可能なプリーツスクリーンを提供することを目的とする。
【課題を解決するための手段】
【０００６】
上記課題を解決するプリーツスクリーンは、上下方向に沿ってジグザグ状に折り畳み可能な状態でヘッドボックスから吊り下げられるスクリーンと、前記スクリーンに吊り下げられる第１ピッチ保持コードと、前記スクリーンに吊り下げられる第２ピッチ保持コードと、を備える。また、前記第１ピッチ保持コードに設けられて前記スクリーンにおける前側との係合により前記スクリーンの前側で前記スクリーンを支持する前側保持部と、前記第２ピッチ保持コードに設けられて前記スクリーンにおける後側との係合により前記スクリーンの後側で前記スクリーンを支持する後側保持部と、を備える。そして、前記第１ピッチ保持コードと前記第２ピッチ保持コードとは、互いに独立であり、前記前側保持部と前記後側保持部とは、前記スクリーンに形成された折り目の延びる方向である横方向にて互いに異なる位置を支持する。
【０００７】
上記構成において、前記第１ピッチ保持コード、および、前記第２ピッチ保持コードの少なくとも１つが、並設対象コードであり、前記スクリーンの前側と前記スクリーンの後側とのうち前記並設対象コードと同じ側に配置されて前記並設対象コードに並設される並設昇降コードを備えることが好ましい。
【０００８】
上記構成において、前記前側保持部と前記後側保持部とのうち前記並設対象コードに設けられる保持部が、被挿通保持部であり、前記並設昇降コードは、前記被挿通保持部に通されることが好ましい。
【０００９】
上記構成において、前記スクリーンは、前記スクリーンに形成された折り目に設けられ、前記スクリーンに対して前記並設対象コードの配置される側に突き出る接合片を備え、前記並設昇降コードは、前記接合片に形成された挿通孔に通されることが好ましい。
【００１０】
上記構成において、前記スクリーンは、前記スクリーンに対して前記並設対象コードの配置される側に、環状に形成された係止部材を備え、前記並設昇降コードは、前記係止部材に通されることが好ましい。
【００１１】
上記構成において、複数の前記並設対象コードを備え、少なくとも１つの前記並設対象コードは、複数の前記被挿通保持部を備え、前記複数の被挿通保持部は、前記スクリーンに形成された複数の折り目に対し、一段以上飛ばした折り目を支持することが好ましい。
【００１２】
上記構成において、前記第１ピッチ保持コード、および、前記第２ピッチ保持コードの少なくとも１つが、対向対象コードであり、前記スクリーンの前側と前記スクリーンの後側とのうち前記対向対象コードとは異なる側に配置されて前記対向対象コードと対向する対向昇降コードを備えることが好ましい。
【００１３】
上記構成において、前記前側保持部と前記後側保持部とのうち前記対向対象コードに設けられる保持部が、被挿通保持部であり、前記被挿通保持部は、前記対向対象コードから前記対向昇降コードに向けて前記スクリーンを貫通し、前記被挿通保持部には、前記対向昇降コードが通されることが好ましい。
【００１４】
上記構成において、前記被挿通保持部は、上側位置と、前記上側位置から一定の間隔を隔てた下側位置とから導出される糸によって環状に形成され、前記上側位置から導出される糸と、前記下側位置とから導出される糸とは、前記スクリーンに対して上下方向に互いに異なる位置を貫通することが好ましい。
【００１５】
上記構成において、前記対向対象コードは、前記第１ピッチ保持コード、および、前記第２ピッチ保持コードであり、前記前側保持部は、前記スクリーンに形成される折り目とのうち前記第１ピッチ保持コードから離れる方向に向けて突き出た折り目を貫通し、前記後側保持部は、前記スクリーンに形成される折り目とのうち前記第２ピッチ保持コードから離れる方向に向けて突き出た折り目を貫通することが好ましい。
【００１６】
上記構成において、複数の前記対向対象コードを備え、少なくとも１つの前記対向対象コードは、複数の前記被挿通保持部を備え、前記複数の被挿通保持部は、前記スクリーンに形成された複数の折り目に対し、一段以上飛ばした折り目を支持することが好ましい。
【００１７】
上記構成において、前記第１ピッチ保持コード、および、前記第２ピッチ保持コードのいずれか１つが、並設対象コードであり、前記第１ピッチ保持コードと前記第２ピッチ保持コードとのうち前記並設対象コードとは異なるコードが、対向対象コードであり、前記スクリーンの前側と前記スクリーンの後側とのうち前記並設対象コードと同じ側に配置されて前記並設対象コードに並設される並設昇降コードと、前記スクリーンの前側と前記スクリーンの後側とのうち前記対向対象コードとは異なる側に配置されて前記対向対象コードと対向する対向昇降コードとを備えることが好ましい。
【００１８】
上記構成において、前記スクリーンの前側と前記スクリーンの後側とのいずれか一方に、前記第１ピッチ保持コード、および、前記第２ピッチ保持コードは配置されることが好ましい。
【００１９】
上記構成において、前記前側保持部、および、前記後側保持部の少なくとも一方は、前記スクリーンに係止されることが好ましい。
上記構成において、上下方向に沿って並ぶ複数の前記被挿通保持部を備え、前記複数の被挿通保持部の各々は、上側位置と、前記上側位置から一定の間隔を隔てた下側位置とから導出される糸によって環状に形成される。そして、前記上側位置から導出される糸と、前記下側位置から導出される糸とは、前記昇降コードに対する左右に分けて導出され、前記上側位置から導出される糸が前記昇降コードに向かう方向と、前記下側位置から導出される糸が前記昇降コードに向かう方向とは、前記複数の被挿通保持部にて上下方向に沿って交互に替わることが好ましい。
【００２０】
上記構成において、前記前側保持部と前記後側保持部とは、前記スクリーンに形成された折り目の延びる方向である横方向にて互いに異なる位置を支持することが好ましい。
上記構成において、前記前側保持部、および、前記後側保持部の少なくとも１つは、編み組みコードにおけるモノフィラメント糸を前記編み組みコードの外側に向けて一定間隔ごとに環状に露出させて形成されることが好ましい。
【００２１】
上記構成において、前記第１ピッチ保持コード、および、前記第２ピッチ保持コードの少なくとも１つは、所望屈曲部の曲げ強度を他の部分よりも低く構成した曲げ部を備えることが好ましい。
【００２２】
上記構成において、前記第１ピッチ保持コード、および、前記第２ピッチ保持コードの少なくとも１つであるコードは、前記コードに向けて前記スクリーンが移動することを規制する移動規制部を備えることが好ましい。
【発明の効果】
【００２３】
本開示におけるプリーツスクリーンによれば、スクリーンに形成される折り目の間隔をスクリーンの前側とスクリーンの後側とにおいて保ち、かつ、スクリーンに適用される材料の範囲を拡張することが可能である。
【図面の簡単な説明】
【００２４】
【図１】本開示における参考例のプリーツスクリーンを示す斜視図である。
【図２】参考例のプリーツスクリーンを示す側面図である。
【図３】参考例のスクリーンを示す下面図である。
【図４】第１の実施形態におけるプリーツスクリーンでのスクリーンに対する昇降コードとピッチ保持コードとの配置の関係を示す下面図である。
【図５】第１の実施形態におけるプリーツスクリーンを側面視方向から見た図であり、ピッチ保持コードと保持部との配置を示す図である。
【図６】第１の実施形態におけるプリーツスクリーンの斜視構造の一部を示す斜視図であり、スクリーンの前側から見た図である。
【図７】第２の実施形態におけるプリーツスクリーンを示す下面図である。
【図８】第３の実施形態におけるプリーツスクリーンを示す側面図である。
【図９】第３の実施形態におけるピッチ保持コードの一部を示す斜視図である。
【図１０】第３の実施形態におけるプリーツスクリーンのピッチ保持コードが折り畳まれた状態を示す概略図である。
【図１１】第３の実施形態におけるプリーツスクリーンのスクリーンが折り畳まれた状態を示す概略図である。
【図１２】第４の実施形態におけるプリーツスクリーンを示す側面図である。
【図１３】第４の実施形態におけるプリーツスクリーンの一部を示す斜視図である。
【図１４】折り目の連れ上がりを示す正面図である。
【図１５】第５の実施形態におけるプリーツスクリーンの一部を示す側面図である。
【図１６】第６の実施形態におけるプリーツスクリーンの一部を示す側面図である。
【図１７】比較例におけるプリーツスクリーンの一部を示す側面図である。
【図１８】比較例におけるプリーツスクリーンの一部を示す側面図である。
【図１９】第７の実施形態におけるプリーツスクリーンの一部を示す斜視図である。
【図２０】第８の実施形態におけるピッチ保持コードの構成を示す側面図である。
【図２１】第８の実施形態におけるピッチ保持コードの作用を示す側面図である。
【図２２】第９の実施形態におけるピッチ保持コードの一部を示す拡大図である。
【図２３】第１０の実施形態におけるピッチ保持コードの一部を示す拡大図である。
【図２４】第１１の実施形態におけるプリーツスクリーンの一部を示す拡大図であり、スクリーンに対するピッチ保持コード側に配置された係止部を示す図である。
【図２５】プリーツスクリーンの一部を示す側面図である。
【図２６】第１１の実施形態におけるプリーツスクリーンに設けられた係止部の作用を示す側面図である。
【図２７】第１１の実施形態におけるプリーツスクリーンの他の例を示す側面図である。
【図２８】第１１の実施形態におけるプリーツスクリーンの他の例を示す側面図である。
【図２９】第１１の実施形態におけるプリーツスクリーンにてスクリーンの移動の規制態様の変形例を示す側面図である。
【図３０】第１１の実施形態におけるプリーツスクリーンにてスクリーンの移動の規制態様の変形例を示す側面図である。
【図３１】第１１の実施形態におけるプリーツスクリーンにてスクリーンの移動の規制態様の変形例を示す側面図である。
【図３２】第１２の実施形態におけるプリーツスクリーンにてスクリーンの移動の規制態様を示す側面図である。
【図３３】第１２の実施形態におけるプリーツスクリーンにてスクリーンの移動の規制態様の変形例を示す側面図である。
【図３４】第１２の実施形態におけるプリーツスクリーンにてスクリーンの移動の規制態様の変形例を示す側面図である。
【図３５】第１３の実施形態におけるプリーツスクリーンを示す斜視図である。
【図３６】第１３の実施形態におけるプリーツスクリーンを示す斜視図である。
【図３７】第１４の実施形態におけるプリーツスクリーンを示す斜視図である。
【図３８】変形例のプリーツスクリーンを示す斜視図である。
【図３９】従来例のプリーツスクリーンにてスクリーンが折り畳まれる状態を示すプリーツスクリーンの側面図である。
【図４０】変形例のプリーツスクリーンにてスクリーンが折り畳まれる状態を示すプリーツスクリーンの側面図である。
【図４１】変形例のプリーツスクリーンにてスクリーンが折り畳まれる状態を示すプリーツスクリーンの側面図である。
【図４２】変形例のプリーツスクリーンを示す斜視図である。
【図４３】変形例のプリーツスクリーンにて３本のピッチ保持コードを備えるプリーツスクリーンを示す斜視図である。
【図４４】変形例のプリーツスクリーンにてループ状に引き回された昇降コードを備えるプリーツスクリーンを示す斜視図である。
【図４５】変形例のプリーツスクリーンにてペアタイプのプリーツスクリーンを示す斜視図である。
【発明を実施するための形態】
【００２５】
図１〜図３を参照して本開示における参考例のプリーツスクリーンを説明する。
図１に示すプリーツスクリーンは、ヘッドボックス１から上下方向にジグザグ状に折り曲げ可能としたスクリーン２が吊下支持され、そのスクリーン２の下端にボトムレール３が取着されている。スクリーン２は、１枚の生地をジグザク状に折り曲げて形成される。
【００２６】
ヘッドボックス１内には巻取軸４が操作装置（図示しない）の操作に基づいて回転可能に支持されている。この巻取軸４は、ヘッドボックス１の長手方向両端部近傍にそれぞれ設けられ、操作装置の操作により連動して動作する。
【００２７】
ヘッドボックス１における長手方向の両端部近傍からは、それぞれ昇降コード５が垂下され、その２本の昇降コード５の上端は巻取軸４にそれぞれ取着され、操作装置の操作により巻取軸４に巻取りあるいは巻戻し可能となっている。
【００２８】
昇降コード５は、スクリーン２の室外側に垂下され、その下端にボトムレール３が取着されている。そして、昇降コード５が巻取軸４に巻き取られると、ボトムレール３が引き上げられてスクリーン２が上方に向かって畳み込まれ、昇降コード５が巻取軸４から巻戻されると、ボトムレール３が下降してスクリーン２が下方へ引き伸ばされる。
【００２９】
２本の昇降コード５の各々の吊下位置の前方には、ヘッドボックス１からスクリーン２の室内側にピッチ保持コード６が垂下されている。２本のピッチ保持コード６の各々は、その上端がヘッドボックス１に取着され、下端がボトムレール３に取着されている。２本のピッチ保持コード６の各々は、互いに独立であり、他のピッチ保持コード６と直接接続されておらず、また、他のコードを介して間接的にも接続されていない。そして、ピッチ保持コード６は、昇降コード５が巻取軸４から巻戻されて、ボトムレール３がその移動範囲における下限まで下降したとき、ピッチ保持コード６がほぼ緊張される長さに設定されている。
【００３０】
ピッチ保持コード６には、環状の保持部７が上下方向に沿って等間隔に多数設けられている。ピッチ保持コード６は、縦糸が編み機で糸を編んで形成されるコードであり、その縦糸に保持部７を形成するため糸（モノフィラメント糸）が編みこまれている。そして、その糸が一定間隔毎に環状に露出されて、保持部７が形成されている。
【００３１】
スクリーン２には、昇降コード５に近接する折り目、すなわち室外側に向かって凸となる折り目のうち一段おきの折り目９には、保持部７を挿通可能とした挿通孔（切込み）８が形成されている。この挿通孔８は、細い糸で形成される保持部７を挿通し得る程度の幅狭の切込みである。なお、図１では、挿通孔８の構成を説明する便宜上、挿通孔８の大きさが誇張されている。
【００３２】
図２に示すように、保持部７はスクリーン２の室内側から挿通孔８を通してスクリーン２の室外側へ挿通され、室外側に露出された保持部７には、昇降コード５が挿通されている。
【００３３】
このような構成により、ボトムレール３がその移動範囲にて下限まで下降するとき、各保持部７の先端部が昇降コード５と係合して、各保持部７で各折り目９を下方から支持する状態となり、スクリーン２の折り目が等間隔となるように保持される。また、スクリーン２の生地の材質によっては、スクリーン２の各折り目９から斜め上方に延びる部分が保持部７で支持される状態となる。すなわち、保持部７の間隔は、スクリーン２の下端がその移動範囲にて下限まで引き伸ばされた状態で、一段おきの折り目９の間隔に相当する間隔に設定されている。例えば、保持部７の長さは、スクリーン２の折幅に昇降コード５の直径分が付加された長さに形成されている。
【００３４】
図３に示すように、２本のピッチ保持コード６の各々は、スクリーン２に対して同じ室内側に配置されている。２本のピッチ保持コード６の各々における保持部７は、スクリーン２の室内側にてピッチ保持コード６の縦糸に固定され、スクリーン２の室内側からスクリーン２の室外側へスクリーン２を貫通している。２つの保持部７の各々が挿通される挿通孔８は、スクリーン２における前後方向の中央よりも、スクリーン２における後側半分である室外側の部分に形成されている。そして、２つの保持部７の各々は、スクリーン２における前後方向の中央よりも、スクリーン２における後側半分である室外側の部分と係合している。
【００３５】
次に、上記のように構成されたプリーツスクリーンの作用を説明する。
操作装置の操作により巻取軸４から昇降コード５を巻戻して、ボトムレール３を下限まで下降させると、スクリーン２が下方へ引き伸ばされる。このとき、ボトムレール３はその前後両縁が昇降コード５とピッチ保持コード６に支持されて、その上面がほぼ水平方向となるように吊下支持されている。
【００３６】
また、ピッチ保持コード６の保持部７によりスクリーン２の室外側に凸となる折り目９が上下方向に等間隔に保持される。この結果、スクリーン２の各折り目９がほぼ等間隔となるように保持される。
【００３７】
この状態から、巻取軸４で昇降コード５を巻き取ると、ボトムレール３が引き上げられてスクリーン２が上方に畳み込まれる。
（第１の実施形態）
図４から図６を参照して本開示におけるプリーツスクリーンの第１の実施形態について説明する。第１の実施形態は、ピッチ保持コード６の配置や保持部７の係合先が、上記参考例とは異なる。そのため、以下では、ピッチ保持コード６の配置や保持部７の係合先について主に説明する。
【００３８】
図４に示すように、２本の昇降コード５のうち、一方の昇降コード５は、室内側に吊下支持され、他方の昇降コード５は、室外側に吊下支持されている。２本のピッチ保持コード６のうち、一方のピッチ保持コード６は、スクリーンの室外側に吊下支持され、他方のピッチ保持コード６は、スクリーンの室内側に吊下支持されている。スクリーンの室内側に吊下支持される昇降コード５と、スクリーンの室外側に吊下支持されるピッチ保持コード６とが、前後方向にて互いに対向する。また、スクリーンの室外側に吊下支持される昇降コード５と、スクリーンの室内側に吊下支持されるピッチ保持コード６とが、前後方向にて互いに対向している。
【００３９】
すなわち、折り目９の延びる方向での両端部にて、垂下される２本の昇降コード５及びピッチ保持コード６は、スクリーン２の前後方向において互い違いとなるように吊下支持され、各昇降コード５の下端、および、ピッチ保持コード６の下端には、ボトムレール３が取着されている。
【００４０】
ヘッドボックス１内には、操作装置の操作により、各昇降コード５を同時に巻取り、あるいは同時に巻戻す巻取り装置が備えられている。
次に、２本のピッチ保持コード６の各々に設けられる保持部７と、スクリーン２において保持部７が係合する部位との関係について説明する。なお、保持部７の配置とその係合先とを説明する便宜上、図５の下側半分には、第１ピッチコードと前側保持部とが示され、図５の上側半分では、第１ピッチコードと前側保持部とが省略されて、第２ピッチ保持コードと後側保持部とが示されている。
【００４１】
図５に示されるように、スクリーン２の室外側に配置されたピッチ保持コード６は、第１ピッチ保持コード６１として設定され、第１ピッチ保持コード６１に設けられる保持部７は、前側保持部７１として設定される。前側保持部７１は、スクリーン２の室外側からスクリーン２の室内側に向けて延びている。スクリーン２における前後方向の中央よりも前側に配置される折り目９は、室内側折り目９１として設定され、前側保持部７１は、室内側折り目９１に形成された挿通孔８を通じて、スクリーン２の室外側からスクリーン２の室内側へ貫通している。前側保持部７１のうち、スクリーン２の室内側に露出した部分には、対向昇降コードの一例である昇降コード５が挿通されて、前側保持部７１が被挿通保持部として機能している。
【００４２】
スクリーン２の室内側に配置されたピッチ保持コード６は、第２ピッチ保持コード６２として設定され、第２ピッチ保持コード６２に設けられる保持部７は、後側保持部７２として設定される。後側保持部７２は、スクリーン２の室内側からスクリーン２の室外側に向けて延びている。スクリーン２における前後方向の中央よりも後側に配置される折り目９は、室外側折り目９２として設定され、後側保持部７２は、室外側折り目９２に形成された挿通孔８を通じて、スクリーン２の室内側からスクリーン２の室外側へ貫通している。後側保持部７２のうち、スクリーン２の室外側に露出した部分には、対向昇降コードの一例である昇降コード５が挿通されて、後側保持部７２が被挿通保持部として機能している。
【００４３】
図６に示すように、ボトムレール３がその移動範囲の下限まで下降するとき、前側保持部７１の先端部が昇降コード５に係合して、室内側折り目９１が前側保持部７１によって下方から支持される。結果として、引き伸ばされたスクリーン２では、スクリーン２における室内側折り目９１は、第１ピッチ保持コード６１によって保持されて、上下方向にて等間隔に配置される。また、ボトムレール３が下限まで下降するとき、後側保持部７２の先端部が昇降コード５に係合して、室外側折り目９２が後側保持部７２に下方から支持される。結果として、引き伸ばされたスクリーン２では、スクリーン２における室外側折り目９２は、第２ピッチ保持コード６２によって保持されて、上下方向にて等間隔に配置される。
【００４４】
上記のプリーツスクリーンによれば、以下に示す効果が得られる。
（１）スクリーン２を昇降する昇降コード５がスクリーン２に挿通されないため、スクリーン２に昇降コード５が挿通される構成と比べて、昇降コード５を挿通するための挿通孔をスクリーン２に設ける必要はない。従って、昇降コード５を挿通するための挿通孔から室内へ外光が洩れることはない。
【００４５】
（２）昇降コード５の挿通される保持部７は、スクリーン２の一段おきの折り目９、あるいは、保持部７の上方で折り目９に連なるスクリーン２の一部を支持する。それゆえに、スクリーン２を下降させたとき、折り目９の間隔は、保持部７の間隔と同様に、ほぼ一定に保持される。
【００４６】
（３）保持部７を挿通する挿通孔８は、昇降コード５よりも細い糸で形成される保持部７を挿通し得る程度の幅狭の切込みであるため、昇降コード５を挿通し得る程度の幅広の切込みがスクリーン２に形成される構成と比べて、挿通孔８からの光洩れを少なくすることができる。
【００４７】
（４）ピッチ保持コード６の保持部７は、昇降コード５と比べて上下方向にて緊張していない。そのため、保持部７の通される挿通孔８の大きさが、保持部７の太さと同じ程度であっても、スクリーン２が折り畳まれたり、スクリーン２が引き伸ばされたりするときに、スクリーン２の移動が、保持部７によって制限され難い。
【００４８】
これに対して、スクリーン２における前後方向の略中央に昇降コード５が通される構成では、昇降コード５の通される挿通孔の大きさが、昇降コード５の太さと同じ程度であると、スクリーン２が折り畳まれたり、スクリーン２が引き伸ばされたりするときに、スクリーン２の移動が、昇降コード５によって制限されてしまう。それゆえに、上述した構成であれば、スクリーン２の折り畳みや引き延ばしが円滑に進む。そのうえ、挿通孔８の大きさは小さて済む結果、挿通孔８を通じて洩れる光の量がさらに抑えられる。
【００４９】
（５）スクリーン２はジグザグ状に折り畳み可能とした一枚の生地で形成されるため、
１つのスクリーン２を複数の生地片の接合体として接合する接合工程を必要としない。従って、製造コストを抑制することができる。
【００５０】
（６）編み機で形成されたピッチ保持コード６の保持部７をスクリーン２の各挿通孔８に挿通し、その保持部７に昇降コード５を挿通する簡易な作業により、ヘッドボックス１から吊下支持される部分が組み立てられる。それゆえに、ヘッドボックス１から吊下支持される部分の組み立てを容易に行うことができる。
【００５１】
（７）スクリーン２の挿通孔８に挿通された保持部７に昇降コード５が挿通され、その昇降コード５は常には緊張されているため、スクリーン２の左右方向の横ずれが防止されるとともに、保持部７及びピッチ保持コード６が横ずれすることもない。
【００５２】
（８）１段おきの折り目９に挿入した保持部７にのみ昇降コード５を挿入するため、全ての折り目９に保持部７が挿入される構成と比べて、昇降コード５の挿入工数を大幅に減少させることができる。
【００５３】
（９）スクリーン２に形成される室内側折り目９１の間隔は、第１ピッチ保持コード６１、前側保持部７１、および、前側保持部７１に通される昇降コード５によって保たれる。また、スクリーン２に形成される室外側折り目９２の間隔は、第２ピッチ保持コード６２、後側保持部７２、および、後側保持部７２に通される昇降コード５によって保たれる。そして、スクリーン２が引き上げられるとき、ボトムレール３の前側面とボトムレール３の後側面とが水平に並ぶ状態が保たれながら、ボトムレール３上にスクリーン２が積層された状態で、ボトムレール３の上方へスクリーン２は畳み込まれる。
【００５４】
（１０）スクリーン２において、前側保持部７１によって支持される部位と、後側保持部７２によって支持される部位とは、横方向にて互いに異なる位置に設定されている。それゆえに、前側保持部７１によって支持される部位と、後側保持部７２によって支持される部位とが、横方向にて同じ位置に設定される構成と比べて、スクリーン２の配置が安定する。
【００５５】
（第２の実施形態）
図７を参照して本開示におけるプリーツスクリーンの第２の実施形態について説明する。第２の実施形態は、ピッチ保持コード６の本数とその配置とが、第１の実施形態とは異なる。そのため、以下では、ピッチ保持コード６の本数とその配置とについて主に説明する。
【００５６】
図７に示されるように、昇降コード５は、ヘッドボックス１における長手方向の両端部の近傍と、ヘッドボックス１における長手方向の中央部とに配置され、合計で３本の昇降コード５がプリーツスクリーンには備えられている。ピッチ保持コード６もまた、ヘッドボックス１における長手方向の両端部の近傍と、ヘッドボックス１の長手方向の中央部とに配置され、合計で３本のピッチ保持コード６がプリーツスクリーンには備えられている。
【００５７】
ヘッドボックス１における長手方向の中央部にて、スクリーン２の室外側に配置された１本のピッチ保持コード６は、第１ピッチ保持コード６１として設定され、第１ピッチ保持コード６１に設けられる保持部７は、前側保持部７１として設定される。前側保持部７１のうち、スクリーン２の室内側に露出した部分には、昇降コード５が挿通されて、前側保持部７１が被挿通保持部として機能している。
【００５８】
ヘッドボックス１における長手方向の両端部の近傍にて、スクリーン２の室内側に配置された２本のピッチ保持コード６の各々は、第２ピッチ保持コード６２として設定され、第２ピッチ保持コード６２に設けられる保持部７は、後側保持部７２として設定される。後側保持部７２のうち、スクリーン２の室外側に露出した部分には、昇降コード５が挿通されて、後側保持部７２が被挿通保持部として機能している。
【００５９】
上述した構成においても、第１の実施形態と同様な効果が得られる。また、スクリーン２の左右方向においては、スクリーン２の折り目９における両端部が、スクリーン２における後側で支持され、かつ、スクリーン２の折り目９における中央部が、スクリーン２における前側で支持される。それゆえに、１つの折り目９の両端部のみが、スクリーン２における前側とスクリーン２における後側との２点で支持される構成と比べて、スクリーン２の配置の安定性が高められる。
【００６０】
（第３の実施形態）
図８〜図１１を参照して本開示におけるプリーツスクリーンの第３の実施形態を説明する。第３の実施形態は、保持部７に対する昇降コード５の挿通態様が、第１の実施形態、および、第２の実施形態とは異なる。そのため、以下では、保持部７に対する昇降コード５の挿通態様について主に説明する。また、スクリーン２の室内側に露出する前側保持部７１と、スクリーン２の室外側に露出する後側保持部７２とでは、通される昇降コード５が互いに異なる一方で、昇降コード５の挿通態様が互いに同様である。そのため、以下では、前側保持部７１に対する昇降コード５の挿通態様について説明を割愛し、後側保持部７２に対する昇降コード５の挿通態様について主に説明する。
【００６１】
図８に示すように、第２ピッチ保持コード６２に編み込まれて形成される各後側保持部７２の２本の糸の導出位置Ｐ１，Ｐ２は、第２ピッチ保持コード６２に対し上下方向に一定の間隔ｔを隔てた位置から延設されている。そして、各後側保持部７２はスクリーン２の室外側折り目９２に設けられた挿通孔８に挿通されるとともに、スクリーン２の室外側で昇降コード５が挿通されている。挿通孔８は、後側保持部７２の２本の糸を挿通し得る程度の小さな径で形成される。
【００６２】
図９に示すように、昇降コード５は後側保持部７２に対し左右方向において交互に挿通されている。詳述すると、上下方向において互いに隣り合う２つの後側保持部７２のうち、上側に配置された後側保持部７２では、後側保持部７２にて屈曲する部位と導出位置Ｐ１とを結ぶ線分７２１が、昇降コード５の左側に配置される。一方で、後側保持部７２にて屈曲する部位と導出位置Ｐ２とを結ぶ線分７２２が、昇降コード５の右側に配置される。これに対して、下側に配置された後側保持部７２では、後側保持部７２における線分７２１が、昇降コード５の右側に配置される一方で、後側保持部７２における線分７２２は、昇降コード５の左側に配置される。
【００６３】
次に、上記のように構成されたプリーツスクリーンの作用を説明する。
昇降コード５は、常にはボトムレール３若しくはボトムレール３とスクリーン２の重量が作用して緊張されている。そのため、昇降コード５が挿通される保持部７には、導出位置Ｐ１，Ｐ２を水平方向に位置させようとする力が、昇降コード５から作用する。
【００６４】
図１０に示すように、緊張する昇降コード５とピッチ保持コード６とが係合する状態でスクリーン２が上方へ畳み込まれるとき、スクリーン２の室内側で畳み込まれる第２ピッチ保持コード６２において、上下方向に隣り合う後側保持部７２の導出位置Ｐ１，Ｐ２が、左右方向に交互に入れ替わる状態となる。これは、昇降コード５が後側保持部７２に対し左右方向に交互に挿通されているからである。
【００６５】
図１１に示すように、スクリーン２が上方へ畳み込まれたとき、導出位置Ｐ１，Ｐ２が上述のように並ぶ結果、第２ピッチ保持コード６２がスクリーン２の室内側で規則的に畳み込まれる状態となり易い。スクリーン２の室内側で、第２ピッチ保持コード６２が不規則に畳み込まれると、このプリーツスクリーンの美観を損ねるが、この実施形態であれば美観の低下を防止することができる。
【００６６】
（第４の実施形態）
図１２〜図１３を参照して本開示におけるプリーツスクリーンの第４の実施形態を説明する。第４の実施形態は、保持部７の先端部における構成が、第１〜第３の実施形態とは異なる。そのため、以下では、保持部７の先端部における構成について主に説明する。また、スクリーン２の室内側に露出する前側保持部７１と、スクリーン２の室外側に露出する後側保持部７２とでは、保持部７に通される昇降コード５が互いに異なる一方で、保持部７の先端部における構成が同様である。そのため、以下では、前側保持部７１の先端部における構成について説明を割愛し、後側保持部７２の先端部における構成について主に説明する。
【００６７】
図１２に示すように、スクリーン２における室外側折り目９２には、挿通孔８が形成され、挿通孔８に挿通された後側保持部７２の先端部には、後側保持部７２が捻られることによって交差部１３が形成されている。後側保持部７２の先端部には、交差部１３を介して小さな環状部１２が形成され、その環状部１２に昇降コード５が挿通されている。すなわち、挿通孔８と昇降コード５との間の介在物である交差部１３は、スクリーン２にて挿通孔８を区画する部分と昇降コード５との接触を抑える。
【００６８】
図１３に示すように、環状部１２に挿通された昇降コード５と、スクリーン２にて挿通孔８を区画する室外側折り目９２との間には、交差部１３が介在するため、スクリーン２の昇降操作時に昇降コード５と挿通孔８の周囲部分とが摩擦し難くなる。従って、スクリーン２の昇降操作が繰り返されても、挿通孔８の周囲において、室外側折り目９２の磨耗を防止することができる。
【００６９】
図１４に示すように、昇降コード５と室外側折り目９２との摩擦が大きいほど、室外側折り目９２のうち昇降コード５と擦れる部位は、昇降コード５の上昇に伴って昇降コード５と共に上方に移動する。結果として、スクリーン２が引き上げられるときに、室外側折り目９２のうち挿通孔８付近の部位が、上方へ移動する昇降コード５と共に連れ上がり、室外側折り目９２が上方に向かって波打つように湾曲してしまう。この点で、上述の構成であれば、昇降コード５と挿通孔８の周囲部分との摩擦が抑えられるため、室外側折り目９２がスクリーン２の引き上げに伴って波打つことが抑えられる。
【００７０】
（第５の実施形態）
図１５を参照して本開示におけるプリーツスクリーンの第５の実施形態を説明する。第５の実施形態は、保持部７の先端部における構成が、第４の実施形態とは異なる。そのため、以下では、保持部７の先端部における構成について主に説明する。
【００７１】
図１５に示すように、スクリーン２の挿通孔８に挿通された後側保持部７２の先端部では、無端状の先端部が２本まとめて絡められることにより環状部１４が形成され、その環状部１４に昇降コード５が挿通されている。すなわち、後側保持部７２の先端部は、２本まとめられた状態で昇降コード５の周囲に１周だけ巻き付けられ、かつ、無端状に形成された後側保持部７２における先端の内側から、後側保持部７２の基端側の部分が引き出されている。そして、無端状に形成された後側保持部７２の先端と、その先端の内側に通された後側保持部７２とによって、後側保持部７２における交差部１５が形成されている。
【００７２】
挿通孔８と昇降コード５との間の介在物としての交差部１５の存在により、挿通孔８部分が昇降コード５と非接触となるように設けられている。このような構成では、環状部１４に挿通された昇降コード５とスクリーン２の挿通孔８との間に交差部１５が介在するので、スクリーン２の昇降操作時に昇降コード５と挿通孔８の周囲部分とが摩擦し難くなる。
【００７３】
従って、スクリーン２の昇降操作を繰り返しても、挿通孔８の周囲の折り目部分の磨耗を防止することができる。また、昇降コード５と挿通孔８の周囲部分との摩擦を防止することができるため、スクリーン２の引き上げ操作時には、上方へ移動する昇降コード５による挿通孔８付近の折り目の連れ上がりを防止することができる。
【００７４】
なお、上記第４の実施形態や第５の実施形態は、以下のように変更することもできる。すなわち、挿通孔８と昇降コード５との間の介在物は、挿通孔８より大きいカシメ部材を保持部７に設けたり、保持部７を挟んで互いに貼り合わされた２枚のテープ部材を設けたり、別の部材を取着する態様とすることもできる。
【００７５】
（第６の実施形態）
図１６を参照して本開示におけるプリーツスクリーンの第６の実施形態を説明する。第６の実施形態は、スクリーン２に対する保持部７の配置と、その保持部７が支持する折り目９の位置との関係が、第１〜第５の実施形態とは異なる。そのため、以下では、スクリーン２に対する保持部７の配置と、その保持部７が支持する折り目９の位置との関係について主に説明する。なお、スクリーン２の室内側に配置されるピッチ保持コード６と、スクリーン２の室外側に配置されるピッチ保持コード６との間では、スクリーン２にて支持対象となる位置が、スクリーン２における室内側であるか、あるいは、スクリーン２における室外側であるかという点で互いに異なる一方で、それ以外の点に関しては互いに同様である。そのため、以下では、スクリーン２の室外側に配置されるピッチ保持コード６について説明を省略し、スクリーン２の室内側に配置されるピッチ保持コード６について主に説明する。
【００７６】
図１６に示すように、スクリーン２の室内側に配置されたピッチ保持コード６は、第１ピッチ保持コード６１として設定され、第１ピッチ保持コード６１に設けられる保持部７は、前側保持部７１として設定される。前側保持部７１は、スクリーン２の室内側からスクリーン２の室外側に向けて延びている。スクリーン２における前後方向の中央よりも前側に配置される折り目９は、室内側折り目９１として設定され、前側保持部７１は、室内側折り目９１に形成された挿通孔８を通じて、スクリーン２の室内側からスクリーン２の室外側へ貫通している。前側保持部７１のうち、スクリーン２の室外側に露出した部分には、対向昇降コードの一例である昇降コード５が挿通されて、前側保持部７１が被挿通保持部として機能している。
【００７７】
第１ピッチ保持コード６１の前側保持部７１は、スクリーン２の室内側に凸となる折り目９である室内側折り目９１に設けられた挿通孔８に挿通されている。すなわち、第１ピッチ保持コード６１は、スクリーン２の室内側を支持し、かつ、挿通孔８部分が昇降コード５と非接触となるように設けられている。なお、スクリーン２がその移動範囲にて下限に下降したとき、挿通孔８の位置と第１ピッチ保持コード６１との間の間隔は、間隔Ｌ１として設定されている。
【００７８】
このような構成とすることにより、スクリーン２の昇降操作時に、昇降コード５と、前側保持部７１に挿通される挿通孔８とが摩擦することはない。従って、挿通孔８付近のスクリーン２の磨耗を防止することができる。また、スクリーン２の引き上げ操作時に、上方へ移動する昇降コード５による挿通孔８付近の室内側折り目９１の連れ上がりを防止することができる。
【００７９】
図１７に示すように、例えば、上下方向に沿って互いに隣り合う折り目９の略中央に挿通孔Ｈが形成され、保持部７が挿通孔Ｈに通されると、挿通孔Ｈとピッチ保持コード６との間隔Ｌ２は、上記間隔Ｌ１よりも大きくなる。そのため、スクリーン２の特定の折り目９に対し、同折り目９を上下方向に引き伸ばす方向の引っ張り力が作用すると、挿通孔Ｈの位置が保持部７上で図１７に示す矢印Ａ方向に移動する。
【００８０】
図１８に示すように、挿通孔Ｈの位置が保持部７に沿って移動すると、折り目９の位置がピッチ保持コード６側に向かって斜め上方に大きく移動して、折り目９の挟み角αが大きくなる。そして、図１８に鎖線で示すように、室外側の折り目９の折方向が反転してしまうことがある。
【００８１】
この実施形態では、挿通孔８の位置と第１ピッチ保持コード６１との間隔Ｌ１が小さいので、挿通孔８の位置が第１ピッチ保持コード６１側に向かって斜め上方へ移動しようとしても、その移動距離が限定される。従って、スクリーン２の折り目９の折角の変化を抑制し、かつ折方向の反転を防止することができる。
【００８２】
また、第１ピッチ保持コード６１側に向かって凸となる室内側折り目９１に挿通孔８を設けたので、スクリーン２を上方へ畳み込むとき、昇降コード５側に挿通孔を設ける場合に比較し、積層して畳まれるスクリーン２の各折り目９間にピッチ保持コード６が緩んでジグザグ状に畳まれていくその縦糸が挟まれ難い。従って、ピッチ保持コード６を規則的に折り畳んだ状態で露出させることができるので、スクリーン２を上方へ畳み込んだ状態での美観を向上させることができる。更に、第３の実施形態のように挿通すると相乗効果を発揮する。
【００８３】
（第７の実施形態）
図１９を参照して本開示におけるプリーツスクリーンの第７の実施形態を説明する。第７の実施形態は、昇降コード５が通された状態における保持部７の形状が、第１〜第６の実施形態とは異なる。そのため、以下では、昇降コード５が通された状態における保持部７の形状について主に説明する。なお、スクリーン２の室内側に配置されるピッチ保持コード６と、スクリーン２の室外側に配置されるピッチ保持コード６との間では、保持部７に通される昇降コード５が互いに異なる一方で、それ以外の点に関しては互いに同様の構成を有する。そのため、以下では、スクリーン２の室内側に配置されるピッチ保持コード６について説明を省略し、スクリーン２の室外側に配置されるピッチ保持コード６について主に説明する。
【００８４】
図１９に示すように、挿通孔８に挿通された保持部７の無端縁に挿通する昇降コード５を、挿通孔８に対しスクリーン２の左右方向にずらして垂下する構成としたものである。すなわち、挿通孔８部分が昇降コード５と非接触となるように設けられている。
【００８５】
このような構成により、昇降コード５と挿通孔８の周囲部分との摩擦を防止することができるので、挿通孔８の周囲の折り目部分の磨耗を防止することができる。また、昇降コード５と挿通孔８の周囲部分との摩擦を防止することができるので、スクリーン２の引き上げ操作時に上方へ移動する昇降コード５による挿通孔８付近の折り目の連れ上がりを防止することができる。
【００８６】
（第８の実施形態）
図２０、および、図２１を参照して本開示におけるプリーツスクリーンの第８の実施形態を説明する。第８の実施形態は、保持部７の形状が、第１〜第７の実施形態とは異なる。そのため、以下では、第６の実施形態と同じく、スクリーン２の室内側に配置されたピッチ保持コード６が、第１ピッチ保持コード６１として設定され、第１ピッチ保持コード６１に設けられる保持部７が、前側保持部７１として設定される構成を一例として、それにおける保持部７の形状について主に説明する。
【００８７】
なお、スクリーン２の室内側に配置されるピッチ保持コード６と、スクリーン２の室外側に配置されるピッチ保持コード６との間では、保持部７に通される昇降コード５が互いに異なる一方で、それ以外の点に関しては互いに同様の構成を有する。そのため、以下では、スクリーン２の室外側に配置されるピッチ保持コード６について説明を省略し、スクリーン２の室内側に配置されるピッチ保持コード６について主に説明する。
【００８８】
図２０に示すように、第１ピッチ保持コード６１は、第１ピッチ保持コード６１の縦糸の長手方向に沿って保持部７が反るかたちに成形されている。例えば、第１ピッチ保持コード６１では、第１ピッチ保持コード６１の縦糸から離間する保持部７の先端側、すなわち、保持部７における昇降コード５側の部位が上方に向けて反るように、第１ピッチ保持コード６１には残留応力Ｆ１が加えられている。
【００８９】
図２１に示すように、スクリーン２の室内側折り目９１の挿通孔８にその上反りの保持部７が挿通されることで、スクリーン２には、スクリーン２がピッチ保持コード６に向けて近づく方向への外力Ｆ２が、保持部７から作用する。結果として、スクリーン２がピッチ保持コード６側に寄った状態で支持され易くなる。そのため、スクリーン２の上昇時、室外側でのスクリーン２の折り目９と昇降コード５との摩擦が低減され、スクリーン２の連れ上がりが防止される。
【００９０】
（第９の実施形態）
図２２を参照して本開示におけるプリーツスクリーンの第９の実施形態を説明する。第９の実施形態は、ピッチ保持コード６に曲げ部が形成されることが、第１〜第８の実施形態とは異なる。そのため、以下では、ピッチ保持コード６における曲げ部について主に説明する。
【００９１】
図２２に示すように、ピッチ保持コード６の保持部７間の中間部（所望屈曲部）に曲げ部２０を構成している。曲げ部２０は、他の部分よりも曲げ強度を低く構成している。例えば図２２のように、ピッチ保持コード６は、編み糸の縦糸２１と該縦糸２１に対して蛇行する態様で編み込まれた横糸２２とを有するものにおいて、曲げ部２０では数カ所の横糸２２を省略して、曲げ強度を低く構成している。そして、スクリーン２の折り畳みとともにピッチ保持コード６が畳み込まれる際に曲げ部２０にて積極的に折り曲がるようにし、第３の実施形態のように、ピッチ保持コード６が規則的に折り畳まれ易くしている。
【００９２】
このような構成の本実施形態では、ピッチ保持コード６を規則的に折り畳むことができ、室内側におけるプリーツスクリーンの美観の低下を防止することができる。なお、ピッチ保持コード６自体の編み方を所望屈曲部において一部変更してその曲げ強度を低くしたが、一部切断する等、他の構成にて対応してもよい。
【００９３】
（第１０の実施形態）
図２３を参照して本開示におけるプリーツスクリーンの第１０の実施形態を説明する。第１０の実施形態は、ピッチ保持コード６の形状が第１〜第９の実施形態とは異なる。そのため、以下では、ピッチ保持コード６の形状について主に説明する。
【００９４】
図２３に示されるように、上記の各実施形態で用いた紐状のピッチ保持コード６よりも幅広の例えばテープ状のピッチ保持コード６が用いられている。ピッチ保持コード６における横方向の幅であるコード幅Ｗは、折り目９に形成される挿通孔８における横方向の幅よりも大きい。
【００９５】
このような構成の本実施形態では、保持部７を挿通するために折り目９に形成された挿通孔８を、コード幅Ｗを有する幅広のピッチ保持コード６自身で塞ぐこととなり、遮光性に優れている。
【００９６】
（第１１の実施形態）
図２４〜２６を参照して本開示におけるプリーツスクリーンの第１１の実施形態を説明する。第１１の実施形態は、スクリーン２に対して保持部７を係止する係止部が備えられる構成にて第１〜第１０の実施形態とは異なる。そのため、以下では、係止部の構成について主に説明する。
【００９７】
なお、スクリーン２の室内側に配置されるピッチ保持コード６と、スクリーン２の室外側に配置されるピッチ保持コード６との間では、スクリーン２に対する係止部の位置が互いに異なる一方で、それ以外の点に関しては互いに同様の構成を有する。そのため、以下では、第１の実施形態と同じく、スクリーン２の室外側に配置されたピッチ保持コード６が、第１ピッチ保持コード６１として設定され、第１ピッチ保持コード６１に設けられる保持部７が、前側保持部７１として設定される構成を一例として、それにおける係止部の構成について主に説明する。
【００９８】
図２４に示すように、第１ピッチ保持コード６１における前側保持部７１のうちスクリーン２よりも第１ピッチ保持コード６１の縦糸に近い部位には、スクリーン２が第１ピッチ保持コード６１の縦糸に近づくことを規制可能な係止部１０が設けられている。
【００９９】
例えば、この係止部１０は、第１ピッチ保持コード６１の縦糸より硬質であり、第１ピッチ保持コード６１における前側保持部７１の先端側所定箇所に予め固着されている。
係止部１０における前後方向の幅は、係止前後幅ｗ１であり、係止前後幅ｗ１は、縦糸における前後方向の幅よりも若干狭い。一方で、係止部１０における左右方向の幅は、係止左右幅ｗ２であり、係止左右幅ｗ２は、挿通孔８における左右方向の幅よりも十分大きい。係止部１０における上下方向の幅は、係止厚さｄであり、保持部７の厚みよりも若干大きく形成されている。
【０１００】
前側保持部７１をモノフィラメント糸とした場合でも、係止部１０を融着糸とすることで加熱により固着することができる。そして、室内側折り目９１の挿通孔８に室外側から室内側に前側保持部７１が挿通され、挿通後の前側保持部７１に昇降コード５が挿通される。これによって、前側保持部７１の係止部１０は、スクリーン２の挿通孔８の室外側の周縁部と係止可能な状態になる。
【０１０１】
ここで、スクリーン２の引き上げ途中においては、そのスクリーン２の下端に取着されたボトムレール３を引き上げる昇降コード５は、常に緊張状態にあるが、ピッチ保持コード６は畳み込まれた付近から緊張状態でなくなる。そのため、スクリーン２が昇降コード５からピッチ保持コード６側に逃げ易い状況となっている。特に、スクリーン２がピッチ保持コード６に向けて逃げやすくなることは、スクリーン２がジグザグ状に開いた下降状態で長期間の日射の影響によりスクリーン２の柔軟性が低下し、スクリーン２の折り畳み抵抗が増大する場合等において生じ易い。
【０１０２】
図２５に示すように、保持部７に係止部１０が設けられていない構成では、スクリーン２の柔軟性が低下することによって、図中の矢印のようにスクリーン２の一部が大きく逃げると、その後のスクリーン２の引き上げに伴う折り畳み動作に支障を来す虞がある。
【０１０３】
図２６に示すように、保持部７に係止部１０が設けられている構成であれば、スクリーン２の柔軟性が低下するときも、昇降コード５と保持部７の係止部１０とによって、スクリーン２の前後方向に沿った移動が規制される。特に昇降コード５からピッチ保持コード６に向けてスクリーン２が逃げようとすると、図の鎖線で示すように、係止部１０とスクリーン２との係合によって、スクリーン２の移動が規制される。それゆえに、スクリーン２の柔軟性が低下するときも、スクリーン２の引き上げに伴う折り畳みが良好に行われる。
【０１０４】
なお、係止部１０は、融着糸から形成されてもよいし、融着糸以外から形成されてもよい。例えば、薄板状のかしめ部材の保持部７への装着や粘着テープの保持部７への貼着、さらには保持部７自体に左右方向に突出した屈曲部を設ける等によって、係止部１０が構成されてもよい。
【０１０５】
また、係止部１０は、スクリーン２に装着される前の保持部７にあらかじめ固着されてもよいし、スクリーン２に装着された後の保持部７に対して固着されてもよい。係止部１０は、例えば、挿通孔８に挿通された状態の保持部７に昇降コード５が挿通されて、その後に、係止部１０が保持部７に固着されてもよい。
【０１０６】
なお、以下の各例に示すように、スクリーン２の谷形状と同等となるように保持部７の付け根間を上下方向に広げた態様とすることで、スクリーン２の移動規制を行うこともできる。
【０１０７】
図２７に示すように、隣接する各段の保持部７の一端及び他端を交差させる交差部１９を設けることや、図２８に示すように、ピッチ保持コード６の保持部７の各段の上下間隔ｘ１より、各段それぞれの保持部７の一対の付け根の上下間隔ｘ２を広げることで実現できる。例えば、図２８では、ｘ１を５ｍｍ、ｘ２を３５ｍｍとし、スクリーン２の折曲げ角α１が９０°に対し、ピッチ保持コード６の保持部７の広がり角α２が狭角の６０°に設定されている。
【０１０８】
また、上述したスクリーン２の移動の規制は、以下のように変更することもできる。
図２９から図３１には、ピッチ保持コード６の保持部７の挿入段とは異なる段において、昇降コード５とスクリーン２とが前後方向にて直接的、または、間接的に係合し、昇降コード５の張力によって、スクリーン２の前後への移動が規制される態様を示す。
【０１０９】
図２９に示すように、スクリーン２における折り目９のうちピッチ保持コード６に近い折り目９には、ピッチ保持コード６に設けられた保持部７が貫通している。また、スクリーン２における折り目９のうち昇降コード５に近い折り目９には、昇降コード５に向かって接合片２３が延設されている。接合片２３に形成される挿通孔２４には、昇降コード５が挿通されている。これによって、スクリーン２における折り目９のうち、保持部７の貫通する段とは異なる段にて、上下方向に沿って緊張する昇降コード５とスクリーン２とが係合して、スクリーン２がピッチ保持コード６に向かって移動することが規制される。
【０１１０】
図３０に示すように、スクリーン２における折り目９のうち昇降コード５に近い折り目９には、三段の折り目９を空けて、ピッチ保持コード６に設けられた保持部７が貫通している。また、昇降コード５に近い折り目９のうち保持部７が貫通していない折り目９には、昇降コード５に向かって接合片２３が延設されている。接合片２３に形成される挿通孔２４には、昇降コード５が挿通されている。これによって、スクリーン２における折り目９のうち、保持部７の貫通する段とは異なる段にて、上下方向に沿って緊張する昇降コード５とスクリーン２とが係合して、スクリーン２がピッチ保持コード６に向かって移動することが規制される。
【０１１１】
なお、図２９に示す例では、接合片２３が三段おきの折り目９に設けられ、ピッチ保持コード６側の一段おきの折り目９の挿通孔８から保持部７が挿通されている。図３０に示す例では、接合片２３が一段おきの折り目９に設けられ、隣接の接合片２３間の昇降コード５側のスクリーン２の折り目９の挿通孔８から保持部７が挿通されている。
【０１１２】
図３１に示すように、スクリーン２がピッチ保持コード６側へ移動することを規制する別部材として係止部材２５が用いられる。係止部材２５の挿通孔２６には、昇降コード５が挿通され、係止部材２５の係止部２７は、ピッチ保持コード６とは反対側（昇降コード５側）のスクリーン２の折り目９に係止される。この構成であっても、スクリーン２がピッチ保持コード６に向かって移動することは規制される。
【０１１３】
（第１２の実施形態）
図３２から図３４を参照して本開示におけるプリーツスクリーンの第１２の実施形態を説明する。第１２の実施形態は、第１１の実施形態における移動の規制機能を保持部７が有することに関して、第１〜第１１の実施形態と互いに異なる。それゆえに、以下では、保持部が有するスクリーン２の移動の規制機能について主に説明する。
【０１１４】
図３２に示すように、スクリーン２の室内側に配置されたピッチ保持コード６は、第１ピッチ保持コード６１として設定され、第１ピッチ保持コード６１に設けられる保持部７は、前側保持部７１として設定される。前側保持部７１は、上下方向に沿って互いに離れた２つの基端部を有して、一つのループ状に形成されている。前側保持部７１における２つの基端部の間の距離は、スクリーン２が引き伸ばされた状態にて、室内側折り目９１の間の上下方向に沿った距離と同じ程度である。前側保持部７１における上側の部分は、室内側折り目９１の挿通孔８から室外側に導出されることによって第１環状部２８を形成している。また、前側保持部７１における下側の部分は、一段下の室内側折り目９１の挿通孔８から室外側に導出されることによって第２環状部２９を形成している。そして、第１環状部２８と第２環状部２９とに、対向昇降コードの一例である昇降コード５がそれぞれ挿通されて、前側保持部７１が被挿通保持部として機能している。
【０１１５】
スクリーン２の室外側に配置されたピッチ保持コード６は、第２ピッチ保持コード６２として設定され、第２ピッチ保持コード６２に設けられる保持部７は、後側保持部７２として設定される。後側保持部７２は、上下方向に沿って互いに離れた２つの基端部を有して、一つのループ状に形成されている。後側保持部７２における２つの基端部の間の距離は、スクリーン２が引き伸ばされた状態にて、室外側折り目９２の間の上下方向に沿った距離と同じ程度である。後側保持部７２における上側の部分は、室外側折り目９２の挿通孔８から室内側に導出されることによって第１環状部２８を形成している。また、後側保持部７２における下側の部分は、一段下の室外側折り目９２の挿通孔８から室内側に導出されることによって第２環状部２９を形成している。そして、第１環状部２８と第２環状部２９とに、対向昇降コードの一例である昇降コード５が挿通されて、後側保持部７２が被挿通保持部として機能している。
【０１１６】
そして、ボトムレール３が下限まで下降するとき、前側保持部７１の基端部側が昇降コード５に係合して、室内側折り目９１が前側保持部７１によって下方から支持される。結果として、スクリーン２における室内側折り目９１が、上下方向にて等間隔に配置されるように、スクリーン２の室内側折り目９１は、第１ピッチ保持コード６１によって支持される。また、ボトムレール３が下限まで下降するとき、後側保持部７２の先端部が昇降コード５に係合して、室外側折り目９２が後側保持部７２によって下方から支持される。結果として、スクリーン２における室外側折り目９２が、上下方向にて等間隔に配置されるように、スクリーン２の室外側折り目９２は、第２ピッチ保持コード６２によって支持される。スクリーン２が折り畳まれるときに、折り目９がピッチ保持コード６に向かって過剰に移動することは、２つの室内側折り目９１を跨ぐ部分７Ｊによって抑えられる。
【０１１７】
なお、スクリーン２がピッチ保持コード６に向かって移動することが保持部７によって規制される構成は、以下のように変形することもできる。
図３３に示すように、ピッチ保持コード６の縦糸には、上下方向に沿って互いに離れた２つの基端部を有する保持部７が、一つのループ状に形成されている。保持部７における２つの基端部の間の距離は、スクリーン２が引き伸ばされた状態にて、１つの折り目９によって形成された山における１つの斜面の長さ程度である。保持部７における上側の部分は、ピッチ保持コード６に向かって突き出た折り目９の挿通孔８からピッチ保持コード６とは反対側に導出されて第１環状部２８を形成している。また、保持部７における下側の部分は、昇降コード５に向かって突き出た一段下の折り目９の挿通孔８からピッチ保持コード６とは反対側に導出されて第２環状部２９を形成している。保持部７のうち２つの挿通孔８を跨ぐ部分７Ｋは、折り目９によって形成された山の１つの斜面に接している。そして、第１環状部２８と第２環状部２９とに昇降コード５がそれぞれ挿通されている。スクリーン２が折り畳まれるときに、折り目９がピッチ保持コード６に向かって過剰に移動することは、２つの折り目９を跨ぐ部分７Ｋによって抑えられる。
【０１１８】
図３４に示すように、ピッチ保持コード６の縦糸には、上下方向に沿って互いに離れた２つの基端部を有する保持部７が、一つのループ状に形成されている。保持部７における２つの基端部の間の距離は、スクリーン２が引き伸ばされた状態にて、１つの折り目９によって形成された谷における２つの斜面の長さ程度である。保持部７における上側の部分は、昇降コード５に向かって突き出た折り目９の挿通孔８から昇降コード５に向かって導出されることによって第１環状部２８を形成している。また、保持部７における下側の部分は、昇降コード５に向かって突き出た一段下の折り目９の挿通孔８から昇降コード５に導出されることによって第２環状部２９を形成している。保持部７のうち２つの挿通孔８を跨ぐ部分７Ｌは、折り目９によって形成された山の２つの斜面に接している。そして、第１環状部２８と第２環状部２９とに昇降コード５がそれぞれ挿通されている。これによっても、ピッチ保持コード６に向かう過剰な折り目９の移動が抑えられる。
【０１１９】
第１２の実施形態におけるプリーツスクリーンによれば、上述した効果に加えて以下に示す効果が得られる。
（１）折り目９の間隔を保つための保持部７は、スクリーン２がピッチ保持コード６に向かって移動することを規制する機能を兼ね備えている。それゆえに、スクリーン２がピッチ保持コード６に向かって移動することを規制するための他の部材が用いられる構成と比べて、スクリーン２を構成する部品の点数の増大が抑えられる。
【０１２０】
（２）スクリーン２のピッチ保持コード６に向けた移動は、スクリーン２の前側とスクリーン２の後側との両方で規制される。それゆえに、スクリーン２のピッチ保持コード６に向けた移動が、スクリーンの前側、または、スクリーン２の後側でのみ規制される構成と比べて、スクリーン２にて規制される部位の数を増やすことが可能であって、スクリーン２の折り畳みに際し、スクリーン２の位置が安定する。
【０１２１】
（第１３の実施形態）
図３５および図３６を参照して本開示におけるプリーツスクリーンの第１３の実施形態を説明する。第１３の実施形態は、スクリーン２の前側とスクリーン２の後側とに、それぞれ昇降コード５とピッチ保持コード６とが並設されることが、第１〜第１２の実施形態と異なる。そのため、以下では、昇降コード５の配置とピッチ保持コード６の配置について主に説明する。
【０１２２】
図３５に示すように、２本の昇降コード５のうち、一方の昇降コード５は、スクリーン２の室内側に吊下支持され、他方の昇降コード５は、スクリーン２の室外側に吊下支持されている。２本のピッチ保持コード６のうち、一方のピッチ保持コード６は、スクリーン２の室外側に吊下支持され、他方のピッチ保持コード６は、スクリーン２の室内側に吊下支持されている。
【０１２３】
スクリーン２の室内側に吊下支持される昇降コード５と、スクリーン２の室内側に吊下支持されるピッチ保持コード６とは、前後方向に沿って互いに並設され、スクリーン２の室外側に吊下支持される昇降コード５と、スクリーン２の室外側に吊下支持されるピッチ保持コード６とは、前後方向に沿って互いに並設されている。
【０１２４】
スクリーン２の室内側に吊下支持される昇降コード５と、スクリーン２の室外側に吊下支持される昇降コード５とは、折り目９の延びる方向である横方向において、互いに異なる位置に配置されている。また、スクリーン２の室内側に吊下支持されるピッチ保持コード６と、スクリーン２の室外側に吊下支持されるピッチ保持コード６とは、これもまた横方向において、互いに異なる位置に配置されている。各昇降コード５の下端、および、ピッチ保持コード６の下端には、図示しないボトムレール３が取着されている。
【０１２５】
スクリーン２の折り目９のうちスクリーン２の室内側に向けて突き出る室内側折り目９１には、室内側折り目９１から室内側に向けて突き出る室内側接合片２３１が連結されている。また、スクリーン２の折り目９のうちスクリーン２の室外側に向けて突き出る室外側折り目９２には、室外側折り目９２から室外側に向けて突き出る室外側接合片２３２が連結されている。
【０１２６】
室内側接合片２３１、および、室外側接合片２３２は、それぞれ折り目９に沿って延びる帯状に形成されている。室内側接合片２３１の横方向における右側端部には、室内側接合片２３１を上下方向に沿って貫通する挿通孔２３Ｈが形成されている。また、室外側接合片２３２の横方向における左側端部には、室外側接合片２３２を上下方向に沿って貫通する挿通孔２３Ｈが形成されている。室内側接合片２３１に形成される挿通孔２３Ｈ、および、室外側接合片２３２に形成される挿通孔２３Ｈには、それぞれ昇降コード５が通されている。
【０１２７】
スクリーン２の室内側に配置されたピッチ保持コード６は、第１ピッチ保持コード６１として設定され、第１ピッチ保持コード６１に設けられる保持部７は、前側保持部７１として設定される。前側保持部７１は、第１ピッチ保持コード６１から昇降コード５に向けて延びる環状に形成されている。前側保持部７１は、第１ピッチ保持コード６１にて、室内側接合片２３１よりも上側に固定され、第１ピッチ保持コード６１から室内側接合片２３１の下側に引き回されている。前側保持部７１にて室内側接合片２３１の下側に引き回される部位には、並設昇降コードの一例である昇降コード５が挿通されて、前側保持部７１が被挿通保持部として機能している。
【０１２８】
スクリーン２の室外側に配置されたピッチ保持コード６は、第２ピッチ保持コード６２として設定され、第２ピッチ保持コード６２に設けられる保持部７は、後側保持部７２として設定される。後側保持部７２は、第２ピッチ保持コード６２から昇降コード５に向けて延びる環状に形成されている。後側保持部７２は、第２ピッチ保持コード６２にて、室外側接合片２３２よりも上側に固定され、第２ピッチ保持コード６２から室外側接合片２３２の下側に引き回されている。後側保持部７２にて室外側接合片２３２の下側に引き回される部位には、並設昇降コードの一例である昇降コード５が挿通されて、後側保持部７２が被挿通保持部として機能している。
【０１２９】
なお、前側保持部７１、および、後側保持部７２の各々は、第１〜第１１の実施形態と同じく、例えば、ピッチ保持コード６に含まれるモノフィラメント糸によって形成される。
【０１３０】
そして、ボトムレール３がその移動範囲にて下限まで下降するとき、前側保持部７１の先端部が、昇降コード５に係合して、室内側接合片２３１、および、室内側折り目９１が、前側保持部７１に下方から支持される。結果として、スクリーン２における室内側折り目９１が、上下方向にて等間隔に配置されるように、複数の室内側折り目９１の各々が、第１ピッチ保持コード６１によって支持される。
【０１３１】
また、ボトムレール３がその移動範囲にて下限まで下降するとき、後側保持部７２の先端部が、昇降コード５に係合して、室外側折り目９２が、後側保持部７２に下方から支持される。結果として、スクリーン２における室外側折り目９２が、上下方向にて等間隔に配置されるように、複数の室外側折り目９２の各々が、第２ピッチ保持コード６２によって支持される。
【０１３２】
なお、昇降コード５とスクリーン２との係合の態様は、以下に変更することもできる。
図３６に示されるように、円環状に形成された係止部材２５には、昇降コード５の挿通される挿通孔２５Ｈが上下方向に沿って貫通し、また、係止部材２５の基端部には、基端に向けて膨大する係止部２５Ｅが形成されている。室内側折り目９１には、係止部２５Ｅの差し込まれる係止孔が形成されている。そして、室内側折り目９１に形成された係止孔に係止部２５Ｅが差し込まれることによって、室内側折り目９１に係止部材２５が取り付けられる。
【０１３３】
室内側折り目９１に取り付けられた係止部材２５は、室内側に向けた係止部材２５の移動を室内側折り目９１と係止部２５Ｅとの係合によって係止する。そして、係止部材２５の挿通孔２５Ｈに昇降コード５が挿通されることによって、係止部材２５と昇降コード５との上下方向に沿った相対的な移動が可能な状態で、昇降コード５とスクリーン２とが係合する。
【０１３４】
前側保持部７１は、第１ピッチ保持コード６１にて、係止部材２５よりも上側に固定され、第１ピッチ保持コード６１から係止部材２５の下側に引き回されている。前側保持部７１にて係止部材２５の下側に引き回される部位には、並設昇降コードの一例である昇降コード５が挿通されて、前側保持部７１が被挿通保持部として機能している。
【０１３５】
また、昇降コード５とピッチ保持コード６との並ぶ方向は、前後方向に限られず、例えば、横方向であってもよい。さらに、これら並設されるコードの組が配置される位置は、スクリーン２の前側のみであってもよいし、スクリーン２の後側のみであってもよい。要するに、昇降コード５とピッチ保持コード６とは、スクリーン２の前側、および、スクリーン２の後側の少なくとも１つで、互いに並ぶ構成であればよい。
【０１３６】
上記のプリーツスクリーンによれば、上述した効果に加えて下記の効果が得られる。
（１）保持部７とスクリーン２との係合に用いられる構成にて、スクリーン２を前後方向に沿って貫通する孔が必要とされない。それゆえに、スクリーン２における光洩れがさらに少なくなる。
【０１３７】
（２）緊張する昇降コード５が、室内側接合片２３１に形成される挿通孔２３Ｈに通され、かつ、緊張する他の昇降コード５が、室外側接合片２３２に形成される挿通孔２３Ｈに通される。それゆえに、第１２の実施形態にて得られる効果と同様に、スクリーン２が第１ピッチ保持コード６１に向けて逃げること、および、スクリーン２が第２ピッチ保持コード６２に向けて逃げることも抑えられる。
【０１３８】
（第１４の実施形態）
図３７を参照して本開示におけるプリーツスクリーンの第１４の実施形態を説明する。第１４の実施形態は、スクリーン２の前側とスクリーン２の後側とに、それぞれ昇降コード５とピッチ保持コード６とが並設されることは、第１３の実施形態と同じである一方で、保持部７の構成が互いに異なる。そのため、以下では、保持部７の構成について主に説明する。
【０１３９】
図３７に示すように、スクリーン２の室内側に配置されたピッチ保持コード６は、第１ピッチ保持コード６１として設定され、第１ピッチ保持コード６１に設けられる保持部７は、前側保持部７１として設定される。前側保持部７１は、第１ピッチ保持コード６１に固定された固定部７ａと、室内側折り目９１に係止される抜け止め７ｂと、固定部７ａと抜け止め７ｂとを繋ぐ細糸状部７ｃとから構成されている。
【０１４０】
室内側折り目９１には、２つのスリットである固定側スリット８ａと抜け止めスリット８ｂとが形成され、これら２つのスリットは室内側折り目９１に沿って間隔を空けて並んでいる。前側保持部７１を構成する固定部７ａは、固定側スリット８ａ、および、抜け止めスリット８ｂの形成された室内側折り目９１よりも上方に配置されている。
【０１４１】
固定部７ａと抜け止め７ｂとを繋ぐ細糸状部７ｃは、固定部７ａから固定側スリット８ａを通じて固定側スリット８ａの室外側に引き回され、かつ、固定側スリット８ａから抜け止めスリット８ｂを通じて抜け止めスリット８ｂの室内側に引き回されている。そして、抜け止めスリット８ｂの室内側に配置される抜け止め７ｂが、抜け止めスリット８ｂにて係止されて、スクリーン２の室内側は、第１ピッチ保持コード６１に支持されている。
【０１４２】
スクリーン２の室外側に配置されたピッチ保持コード６は、第２ピッチ保持コード６２として設定され、第２ピッチ保持コード６２に設けられる保持部７は、後側保持部７２として設定される。後側保持部７２は、第２ピッチ保持コード６２に固定された固定部７ａと、室外側折り目９２に係止される抜け止め７ｂと、固定部７ａと抜け止め７ｂとを繋ぐ細糸状部７ｃとから構成されている。
【０１４３】
室外側折り目９２には、２つのスリットである固定側スリット８ａと抜け止めスリット８ｂとが形成され、これら２つのスリットは室外側折り目９２に沿って間隔を空けて並んでいる。後側保持部７２を構成する固定部７ａは、固定側スリット８ａ、および、抜け止めスリット８ｂの形成された室外側折り目９２よりも上方に配置されている。固定部７ａと抜け止め７ｂとを繋ぐ細糸状部７ｃは、固定部７ａから固定側スリット８ａを通じて固定側スリット８ａの室内側に引き回され、かつ、固定側スリット８ａから抜け止めスリット８ｂを通じて抜け止めスリット８ｂの室外側に引き回されている。そして、抜け止めスリット８ｂの室外側に配置される抜け止め７ｂが、抜け止めスリット８ｂにて係止されることによって、スクリーン２の室外側は、第２ピッチ保持コード６２に支持される。
【０１４４】
固定部７ａは、例えば、ピッチ保持コード６の縦糸に固定される樹脂成形部材であってもよいし、ピッチ保持コード６の縦糸と細糸状部７ｃとを挟持する挟持部材であってもよい。要するに、固定部７ａは、細糸状部７ｃをピッチ保持コード６の縦糸に固定する構成であればよい。なお、保持部７においては、固定部７ａが省略されて、ピッチ保持コード６に編み込まれた糸そのものが、細糸状部７ｃとして機能する構成であってもよい。
【０１４５】
抜け止め７ｂは、例えば、細糸状部７ｃに固定される樹脂成形部材であってもよいし、細糸状部７ｃを挟持する挟持部材であってもよい。要するに、抜け止め７ｂは、細糸状部７ｃに固定されて抜け止めスリット８ｂに係止される構成であればよい。なお、保持部７においては、抜け止め７ｂが省略されて、細糸状部７ｃの先端に形成される結び目などが抜け止め７ｂとして機能する構成であってもよい。
【０１４６】
なお、上記各実施形態は以下のように変更することも可能である。
・第１〜第１２の実施形態では、ピッチ保持コード６と昇降コード５とが前後方向にて互いに対向し、折り目９の延びる方向では、複数のピッチ保持コード６の各々が互いに異なる位置に配置されている。一方で、第１３、１４の実施形態では、ピッチ保持コード６と昇降コード５とが互いに並設される１組のコード組を構成し、スクリーン２の前側とスクリーン２の後側との各々に、コード組が配置されている。これに限られず、第１〜第１４の実施形態の各々は、少なくとも一つの他の実施形態と組み合わされてもよい。
【０１４７】
この際に、第１〜第１２の実施形態に関しては、１組のコード組やそれに用いられる保持部７に対して互いに異なる複数の実施形態が適用されてもよいし、複数のコード組やそれに用いられる保持部７に対して各別の実施形態が適用されてもよい。また、第１３、１４の実施形態に関してもまた、１組のコード組やそれに用いられる保持部７に対して互いに異なる実施形態が適用されてもよいし、複数のコード組やそれに用いられる保持部７に対して各別の実施形態が適用されてもよい。さらに、１つのプリーツスクリーンに備えられる複数のピッチ保持コード６と複数の昇降コード５とは、第１〜第１２の実施形態に示されるピッチ保持コード６と昇降コード５との関係、および、第１３、１４の実施形態に示されるピッチ保持コード６と昇降コード５との関係の両方を含んでもよい。
【０１４８】
例えば、図３８に示されるように、スクリーン２の室外側には、折り目９の延びる方向での両端部に、係止部材２５が取り付けられている。２つの係止部材２５の各々には、スクリーン２の室外側に配置された昇降コード５が挿通されている。２つの昇降コード５の各々は、スクリーン２の室外側に配置された第２ピッチ保持コード６２における保持部７にも挿通されている。２つの第２ピッチ保持コード６２の各々に設けられた保持部７は、室外側折り目９２を支持する後側保持部７２として機能する。
【０１４９】
これに対して、スクリーン２の室外側には、折り目９の延びる方向での中央部に、第１ピッチ保持コード６１が配置され、かつ、スクリーン２の室内側には、折り目９の延びる方向での中央部に、昇降コード５が配置されている。第１ピッチ保持コード６１に設けられた保持部７は、室内側折り目９１を支持する前側保持部７１として機能する。
【０１５０】
こうした構成であれば、上述した効果が得られることに加えて、スクリーン２の室内側に配置されるコードを１本の昇降コード５のみにすることも可能である。それゆえに、プリーツスクリーンにおける美観を高めることも可能である。
【０１５１】
・第１〜第１２の実施形態にて、前後方向にて互いに対向する昇降コード５とピッチ保持コード６との間の間隔は、折り畳まれたスクリーン２の前後方向に沿って占める幅以上であることが好ましい。
【０１５２】
図３９に示すように、従来例のプリーツスクリーンにて、ラダーコード５１の縦糸５２間の間隔ＷＬが、折り畳まれたスクリーン５３の前後方向に沿って占める幅５３Ｗ未満である構成では、ラダーコード５１の横糸５４の長さも、折り畳まれたスクリーン５３の占める前後方向の幅５３Ｗ未満になる。そして、スクリーン５３が折り畳まれる際には、折り畳まれる過程でのスクリーン５３にて、前後方向に沿って占める幅が、ラダーコード５１の横糸５４の長さよりも徐々に大きくなる。
【０１５３】
この際に、スクリーン５３の折り畳みが進むに連れて、図３９の鎖線に示すように、スクリーン５３は、ラダーコード５１の縦糸５２間の間隔を広げようとするものの、これら２つのコードの間の間隔は、ラダーコード５１の横糸５４によって制限される。結果として、スクリーン５３の前後方向に沿って占める幅が折り畳まれる過程で大きくなる分、上下方向に弛んだラダーコード５１の縦糸５２が、スクリーン５３の折り目の間に入り込むことになる。そして、折り目の間にラダーコード５１の縦糸５２が入り込む分、折り畳まれたスクリーン５３が、上下方向に沿って嵩張り、その美観を損なうことになる。
【０１５４】
図４０に示すように、上述した変形例に従う構成であれば、前後方向にて互いに対向する昇降コード５とピッチ保持コード６との間の間隔Ｗ５６が、折り畳まれたスクリーン２の前後方向に沿って占める幅２Ｗ以上である。それゆえに、スクリーン２の折り畳みが進み、スクリーン２の前後方向に沿って占める幅が、折り畳まれる過程で徐々に大きくなるとしても、スクリーン２は間隔Ｗ５６を広げるようには作用しない。結果として、弛んだピッチ保持コード６が、昇降コード５に向けて引っ張られることがないため、折り目９の間にピッチ保持コード６が入り込むことが抑えられる。そして、折り畳まれたスクリーン２が上下方向に沿って嵩張ることが抑えられ、かつ、折り畳まれたスクリーン２の美観が高められもする。なお、昇降コード５とピッチ保持コード６とを繋ぐ保持部７が以下の形態であっても、同様の効果を得ることは可能である。
【０１５５】
図４１に示すように、スクリーン２に形成される折り目９のうち、ピッチ保持コード６に設けられる保持部７は、昇降コード５に向けて突き出た折り目９を支持している。そして、前後方向にて互いに対向する昇降コード５とピッチ保持コード６との間の間隔Ｗ５６が、折り畳まれたスクリーン２の前後方向に沿って占める幅２Ｗ以上である。このような構成であっても、ピッチ保持コード６に設けられる保持部７が、ピッチ保持コード６に向けて突き出た折り目９を支持する構成と同じく、折り目９の間にピッチ保持コード６が入り込むことが抑えられる。
【０１５６】
図４２に示すように、スクリーン２に形成される折り目９のうち、ピッチ保持コード６に設けられる複数の保持部７は、ピッチ保持コード６に向けて突き出た折り目９と、昇降コード５に向けて突き出た折り目９との両方を支持している。そして、前後方向にて互いに対向する昇降コード５とピッチ保持コード６との間の間隔Ｗ５６が、折り畳まれたスクリーン２の前後方向に沿って占める幅２Ｗ以上である。このような構成であっても、ピッチ保持コード６に設けられる保持部７が、ピッチ保持コード６に向けて突き出た折り目９を支持する構成と同じく、折り目９の間にピッチ保持コード６が入り込むことが抑えられる。
【０１５７】
・第１〜第１２の実施形態にて、保持部７の通される挿通孔８は、スクリーン２に形成されたスリットに限らず、例えば、スクリーン２を構成する横糸と縦糸とによって囲まれる隙間など、保持部７が通ることの可能な極小径の孔径であってもよい。このような構成であれば、スクリーン２に別途スリットを形成する手間が省かれると共に、挿通孔８での光洩れも抑えられる。
【０１５８】
・第１〜第１２の実施形態では、スクリーン２の挿通孔８が、ピッチ保持コード６の保持部７の挿通と同時に形成される態様であってもよく、また、予めスクリーン２に挿通孔が形成される態様であってもよい。また、スクリーン２を構成する縦糸と横糸とが切断されず、各糸間の隙間が拡大されることによって挿通孔８が形成されてもよい。このような構成であれば、例えば、昇降コード５が挿通孔８に接する際に、スクリーン２の縦糸と横糸のほつれが低減され、結果としてスクリーン２の耐久性が高められる。
【０１５９】
・第１〜第１２の実施形態では、ピッチ保持コード６の保持部７は、ピッチ保持コード６の縦糸から１本の糸として引き出されてもよい。この際に、保持部７のうち、スクリーン２を貫通する箇所には、昇降コード５の挿入される小ループ（環状部）が形成される。このような構成であれば、スクリーン２の挿通孔８と昇降コード５との間に小ループが介在物として存在するため、挿通孔８の周縁部にてスクリーン２が磨耗することが抑えられる。
【０１６０】
・スクリーン２にて保持部７によって支持される部位は、折り目９や折り目９に取り付けられる他の部材に限らず、折り目９の間隔が保たれる位置であればよく、スクリーン２における前側とスクリーン２における後側とにおいて、適宜選択される。また、スクリーン２にて保持部７によって支持される部位は、複数段の折り目９ごとに設定されてもよい。図４３を参照して複数段の折り目９ごとに支持の位置が設定される例を説明する。
【０１６１】
・図４３に示すように、３本の昇降コード５と３本のピッチ保持コード６とが吊り下げられる構成にて、折り目９の延びる方向での両端部では、スクリーン２における折り目９の全段が保持部７によって支持される。そして、折り目９の延びる方向での中央部では、スクリーン２における折り目９の一段おきに、スクリーン２が保持部７によって支持されてもよい。
【０１６２】
保持部７によって支持される折り目９が飛ばされる構成であれば、ピッチ保持コード６における保持部７の数も省略でき、保持部７による支持構造を形成する手間も軽減することができる。なお、保持部７によって支持される折り目９を一段飛ばしとしたが、二段以上飛ばしてもよい。また、ヘッドボックス１の中央部にて、保持部７によって支持される折り目９が飛ばされる構成の他、折り目９の延びる方向での両端部にて、保持部７によって支持される折り目９が飛ばされてもよい。また、両者を飛ばす構成としてもよい。
【０１６３】
なお、保持部７によって支持される折り目９が飛ばされる構成であれば、保持部７とスクリーン２との係合する箇所が少なくて済むため、これらの係合によって隙間が形成される構成では、光洩れが極力抑えられ、遮光性に優れたものとすることができる。
【０１６４】
上記の飛ばす構成としたことで、スクリーン２のジグザグ状が崩れ易くなるのが懸念されるが、折り目９の延びる方向での両端部では、ピッチ保持コード６の保持部７が全段の折り目９を支持する。それゆえに、スクリーン２の全体ではジグザグ状が崩れ難く、規則的なジグザグ形状を極力維持できる。
【０１６５】
なお、上記の飛ばす構成とした場合には、スクリーン２の折曲げ角を６０°〜９０°に設定するのが好ましい。折幅が例えば１５ｍｍのように幅狭のスクリーン２の場合では、スクリーン２を下限まで下げた状態での折曲げ角を６０°に設定するというように、スクリーン２の折幅が小さいほどスクリーン２の折曲げ角を小さく設定すると、スクリーン２が適切に折り畳まれ易くなる。
【０１６６】
・また、例えば、４本ずつの昇降コード５及びピッチ保持コード６を吊下支持する構成にて、折り目９の延びる方向での両端部では、スクリーン２における折り目９の全段が保持部７によって支持される。そして、ヘッドボックス１の中央部二箇所では、スクリーン２における折り目９の一段おきに、スクリーン２が保持部７によって支持されてもよい。このような構成においても、上記構成と同様な効果が得られる。
【０１６７】
・また、例えば、５本ずつの昇降コード５及びピッチ保持コード６を吊下支持する構成で、折り目９の延びる方向での両端部、および、中央部では、スクリーン２における折り目９の全段が保持部７によって支持される。そして、折り目９の延びる方向での両端部と中央部との間の二箇所では、スクリーン２における折り目９の一段おきに、スクリーン２が保持部７によって支持されてもよい。このような構成においても、上記構成と同様な効果が得られる。なお、７本以上の奇数本の場合も上記と同パターンの繰り返しでよい。
【０１６８】
・上記各実施形態にて、昇降コード５は、ヘッドボックス１とボトムレール３との間で、１本のコードによってループ状に構成され、ボトムレール３の内部を通して引き回されてもよい。図４４を参照してその一例を説明する。
【０１６９】
図４４に示されるように、図中の左側に配置される昇降コード５の基端は、ヘッドボックス１にて室外側の部分に固定されて、スクリーン２の室外側を通って、ボトムレール３における室外側の部分からボトムレール３の内部へ通される。次いで、ボトムレール３の内部に通された昇降コード５は、ボトムレール３における室内側の部分からボトムレール３の外部に導出され、スクリーン２の室内側を通ってヘッドボックス１における室内側の部分からヘッドボックス１の内部に通される。次いで、ヘッドボックス１の内部を通された昇降コード５は、ヘッドボックス１の所定箇所からその先端が垂下されている。
【０１７０】
また、図４４の右側に配置される昇降コード５の基端は、ヘッドボックス１にて室内側の部分に固定されて、スクリーン２の室内側を通って、ボトムレール３における室内側の部分からボトムレール３の内部へ通される。次いで、ボトムレール３の内部に通された昇降コード５は、ボトムレール３における室外側の部分からボトムレール３の外部に導出され、スクリーン２の室外側を通ってヘッドボックス１における室外側の部分からヘッドボックス１の内部に通される。次いで、ヘッドボックス１の内部を通された昇降コード５は、ヘッドボックス１の所定箇所からその先端が垂下されている。ヘッドボックス１の各端部の昇降コード５はそれぞれ同様に張り巡らされ、各先端同士が一つに纏められている。
【０１７１】
このようにスクリーン２の室内側とスクリーン２の室外側とを通る昇降コード５は、ピッチ保持コード６の保持部７に挿通される。この際に、スクリーン２の室内側の昇降コード５のみが保持部７に挿通されてもよいし、スクリーン２の室外側の昇降コード５のみが保持部７に挿通されてもよいし、これらの両方が保持部７に挿通されてもよい。このような構成であれば、ボトムレール３の水平維持を図ることができ、かつ、昇降コード５の昇降に必要とされる操作力も軽減できる。
【０１７２】
・スクリーン２において保持部７によって支持される部位は、折り目９のない部分、すなわち、上下方向にて互いに隣り合う折り目９の間の部分であってもよい。要するに、スクリーン２の前後方向における中央に対して、スクリーン２の前側、あるいは、スクリーン２の後側を支持する部位であればよい。
【０１７３】
・プリーツスクリーンは、前後方向に２つのスクリーン２を備える構成であってもよく、この際に、前側のスクリーン２、および、後側のスクリーン２の少なくとも１つに対して、上述したピッチ保持コード６と保持部７とが適用される構成であればよい。
【０１７４】
・上記各実施形態におけるピッチ保持コード６、および、保持部７は、２つのスクリーン２が上下方向に沿って並べられるペアタイプのプリーツスクリーンに適用することも可能である。図４５を参照してその一例を説明する。
【０１７５】
図４５に示すように、ペアタイプのプリーツスクリーンには、ヘッドボックス１と中間レール３Ｍとの間に上段スクリーン２Ｕが備えられ、中間レール３Ｍとボトムレール３との間とに下段スクリーン２Ｂが備えられている。
【０１７６】
ヘッドボックス１の長手方向における両端部にて、上段スクリーン２Ｕの室内側には、第１ピッチ保持コード６１が配置され、かつ、ヘッドボックス１の長手方向における中央部にて、上段スクリーン２Ｕの室外側には、第２ピッチ保持コード６２が配置されている。第１ピッチ保持コード６１に設けられた保持部７は、上段スクリーン２Ｕにおける室内側折り目９１を一段おきに通されている。第２ピッチ保持コード６２に設けられた保持部７は、上段スクリーン２Ｕにおける室外側折り目９２を一段おきに通されている。
【０１７７】
ヘッドボックス１の長手方向における両端部にて、下段スクリーン２Ｂの室内側には、第１ピッチ保持コード６１が配置され、かつ、ヘッドボックス１の長手方向における中央部にて、下段スクリーン２Ｂの室外側には、第２ピッチ保持コード６２が配置されている。第１ピッチ保持コード６１に設けられた保持部７は、下段スクリーン２Ｂにおける室内側折り目９１を一段おきに通されている。第２ピッチ保持コード６２に設けられた保持部７は、下段スクリーン２Ｂにおける室外側折り目９２を一段おきに通されている。
【０１７８】
中間レール３Ｍを昇降する昇降コード５ａのうち、ヘッドボックス１の長手方向における両端部に配置された昇降コード５ａは、上段スクリーン２Ｕの室外側にて保持部７に通されている。中間レール３Ｍを昇降する昇降コード５ａのうち、ヘッドボックス１の長手方向における中央部に配置された昇降コード５ａは、上段スクリーン２Ｕの室内側にて保持部７に通されている。
【０１７９】
ボトムレール３を昇降する昇降コード５ｂのうち、ヘッドボックス１の長手方向における両端部に配置された昇降コード５ｂは、上段スクリーン２Ｕの室外側にて保持部７に通され、かつ、下段スクリーン２Ｂの室外側にて保持部７に通されている。ボトムレール３を昇降する昇降コード５ｂのうち、ヘッドボックス１の長手方向における中央部に配置された昇降コード５ｂは、上段スクリーン２Ｕの室内側にて保持部７に通され、かつ、下段スクリーン２Ｂの室内側にて保持部７に通されている。
【０１８０】
・上記各実施形態は、吊下げ型のプリーツスクリーンに限らず、ボトムアップ型のプリーツスクリーンに適用してもよい。
・上記各実施形態のピッチ保持コードの上端の固定について、ヘッドボックス１に直接取着するか、もしくはヘッドボックスに固定される部品、例えば、スクリーン２の上端をヘッドボックス１に固定する長尺部材である生地押えや内部駆動部品を支持するサポート、更にはキャップ等に取着し、ヘッドボックス１に対して間接的に取着させてもよい。
【０１８１】
・上記各実施形態のピッチ保持コード６の保持部７は、モノフィラメント糸に代えて、マルチフィラメント糸、スパン糸等、その他の糸としてもよい。
【符号の説明】
【０１８２】
α…挟み角、ｄ…係止厚さ、Ｈ…挿通孔、ｔ，Ｌ１，Ｌ２，ＷＬ，Ｗ５６…間隔、Ｗ…コード幅、α１…折曲げ角、α２…広がり角、Ｆ１…残留応力、Ｆ２，Ｆ３…外力、Ｐ１，Ｐ２…導出位置、ｗ１…係止前後幅、ｗ２…係止左右幅、ｘ１，ｘ２…上下間隔、１…ヘッドボックス、２，５３…スクリーン、３…ボトムレール、４…巻取軸、５，５ａ，５ｂ…昇降コード、６…ピッチ保持コード、７…保持部、７ａ…固定部、７ｂ…抜け止め、７ｃ…細糸状部、８…挿通孔、８ａ…固定側スリット、８ｂ…抜け止めスリット、９，９ａ，９ｂ…折り目、１０，２３Ｅ、２７…係止部、１２，１４…環状部、１３，１５，１９…交差部、２０…曲げ部、２１…縦糸、２２…横糸、２３…接合片、２３Ｈ，２４，２５Ｈ…挿通孔、２５…係止部材、２８…第１環状部、２９…第２環状部、６１…第１ピッチ保持コード、６２…第２ピッチ保持コード、７１…前側保持部、７２…後側保持部、９１…室内側折り目、９２…室外側折り目、２３１…室内側接合片、２３２…室外側接合片、７２１，７２２…線分。
【図１】
2014111875.tif 000003
【図２】
2014111875.tif 000004
【図３】
2014111875.tif 000005
【図４】
2014111875.tif 000006
【図５】
2014111875.tif 000007
【図６】
2014111875.tif 000008
【図７】
2014111875.tif 000009
【図８】
2014111875.tif 000010
【図９】
2014111875.tif 000011
【図１０】
2014111875.tif 000012
【図１１】
2014111875.tif 000013
【図１２】
2014111875.tif 000014
【図１３】
2014111875.tif 000015
【図１４】
2014111875.tif 000016
【図１５】
2014111875.tif 000017
【図１６】
2014111875.tif 000018
【図１７】
2014111875.tif 000019
【図１８】
2014111875.tif 000020
【図１９】
2014111875.tif 000021
【図２０】
2014111875.tif 000022
【図２１】
2014111875.tif 000023
【図２２】
2014111875.tif 000024
【図２３】
2014111875.tif 000025
【図２４】
2014111875.tif 000026
【図２５】
2014111875.tif 000027
【図２６】
2014111875.tif 000028
【図２７】
2014111875.tif 000029
【図２８】
2014111875.tif 000030
【図２９】
2014111875.tif 000031
【図３０】
2014111875.tif 000032
【図３１】
2014111875.tif 000033
【図３２】
2014111875.tif 000034
【図３３】
2014111875.tif 000035
【図３４】
2014111875.tif 000036
【図３５】
2014111875.tif 000037
【図３６】
2014111875.tif 000038
【図３７】
2014111875.tif 000039
【図３８】
2014111875.tif 000040
【図３９】
2014111875.tif 000041
【図４０】
2014111875.tif 000042
【図４１】
2014111875.tif 000043
【図４２】
2014111875.tif 000044
【図４３】
2014111875.tif 000045
【図４４】
2014111875.tif 000046
【図４５】
2014111875.tif 000047